(57)【特許請求の範囲】
【請求項１】
下部中央を除く表側周囲には放電用の対となる帯状電極（１１、１２）を備えた楯本体（１３）と、
前記楯本体（１３）の裏側に、両側を第１、第２の支持部材（１５、１６）を介して取付けられ、一方側には蓋（２４）付きの開口空間部（２５）が設けられた把手（１７）と、
前記把手（１７）内に収納され、かつ前記開口空間部（２５）に取り替え可能に設けられた電池（２６、２７）から電力の供給を受けて、前記対となる帯状電極（１１、１２）に高電圧を印加する高電圧発生回路（３０）と、
前記電池（２６、２７）と前記高電圧発生回路（３０）に直列に設けられ、前記把手（１７）から外部に露出する操作部を押すことによって作動するプッシュスイッチ（３８）と、
前記電池（２６、２７）と前記高電圧発生回路（３０）とに直列に接続される安全スイッチ（３７）とを有し、
前記安全スイッチ（３７）が作動状態で前記プッシュスイッチ（３８）を作動させると、前記対となる帯状電極（１１、１２）に高電圧が加えられ、
しかも、前記帯状電極（１１、１２）の幅は２．２〜３ｃｍ、対となる前記帯状電極（１１、１２）の隙間は０．７〜１ｃｍとなっており、かつ外側の前記帯状電極（１２）は前記楯本体（１３）の周縁とは隙間を有して設けられていること特徴とするスタンガンを備えた楯。
【請求項２】
請求項１記載のスタンガンを備えた楯において、前記安全スイッチ（３７）は、内部端子（４１ａ、４１ｂ）を短絡した差し込み式のコネクター（４１）と、前記把手（１７）に露出状態で取り付けられ前記コネクター（４１）の接続によって前記高電圧発生回路（３０）に前記電池（２６、２７）の電源が供給されるコネクター受け（４２）とを有することを特徴とするスタンガンを備えた楯。
【請求項３】
請求項１又は２記載のスタンガンを備えた楯において、前記楯本体（１３）の裏面と、前記把手（１７）の軸心との距離は６〜１２ｃｍとなって、前記楯本体（１３）の裏側であって、前記第１、第２の支持部材（１５、１６）が取付けられる領域には、幅方向に渡って厚みが６〜１２ｍｍの発泡性のゴム板（４５）が貼着されていることを特徴とするスタンガンを備えた楯。
【請求項４】
請求項１〜３のいずれか１項に記載のスタンガンを備えた楯において、前記把手（１７）の表面には手の形状に沿った握り手模様が形成されていることを特徴とするスタンガンを備えた楯。
【発明の詳細な説明】
【技術分野】
【０００１】
本発明は、暴漢等から身を守るために使用する楯に更にスタンガンを設けたスタンガン付きの楯に関する。
【背景技術】
【０００２】
警察官や自衛官等が、自己の身体を守りながら暴漢等に近づくために使用する楯については従来から広く知られている。そして、例えば、特許文献１〜３に示すように、このような楯に高電圧放電威嚇器（スタンガン）を設けることも知られている。
【先行技術文献】
【特許文献】
【０００３】
【特許文献１】特開２００４−１３８３７４号公報
【特許文献２】特開２００５−３３６１号公報
【特許文献３】実用新案登録第３１１０３９２号公報
【発明の概要】
【発明が解決しようとする課題】
【０００４】
特許文献１〜３記載の楯においては、確かに暴漢に対して楯を向けて自己を守り、スタンガンにて暴漢を威嚇し、場合によってはスタンガンを使って暴漢を逮捕することも可能であるが、特許文献１〜３に記載の楯においては、催涙ガスを使用して暴漢を威嚇するもので、スタンガンについては付設している程度である。
従って、特許文献１〜３記載の楯は、例えば搬送中又は保管中に誤ってスタンガンのスイッチを押すことがあり、その場合はスタンガンが放電するので大変危険であるという問題があった。
【０００５】
更に、特許文献１〜３記載の技術においては、スプレーを用いることを主体として構成されているので、スタンガンの構造及びその取付けについては十分検討されていない。そして、特許文献３には、スプレーを発射させるための安全ピンが設けられているが、威嚇用スプレーのためのもので、スタンガン用ではない。
【０００６】
本発明は、かかる事情に鑑みてなされたもので、スタンガン全体を一体化して、楯の構造、形状が異なっても取付け可能とし、しかも、不要なスイッチオンによってスタンガンが作動しないようにしたスタンガンを備えた楯を提供することを目的とする。
【課題を解決するための手段】
【０００７】
前記目的に沿う本発明に係るスタンガンを備えた楯は、下部中央を除く表側周囲には放電用の対となる帯状電極を備えた楯本体と、
前記楯本体の裏側に、両側を第１、第２の支持部材を介して取付けられ、一方側には蓋付きの開口空間部が設けられた把手と、
前記把手内に収納され、かつ前記開口空間部に取り替え可能に設けられた電池から電力の供給を受けて、前記対となる帯状電極に高電圧を印加する高電圧発生回路と、
前記電池と前記高電圧発生回路に直列に設けられ、前記把手から外部に露出する操作部を押すことによって作動するプッシュスイッチと、
前記電池と前記高電圧発生回路とに直列に接続される安全スイッチとを有し、
前記安全スイッチが作動状態で前記プッシュスイッチを作動させると、前記対となる帯状電極に高電圧が加えられ、
しかも、前記帯状電極の幅は２．２〜３ｃｍ、対となる前記帯状電極の隙間は０．７〜１ｃｍとなっており、かつ外側の前記帯状電極は前記楯本体の周縁とは隙間を有して設けられている。
【０００８】
ここで、楯本体を構成する楯板は、視認性を広げるため、透明の合成樹脂であることが好ましいが、不透明であってもよい。
本発明に係るスタンガンを備えた楯において、前記安全スイッチは、内部端子を短絡した差し込み式のコネクター（即ち、プラグ）と、前記把手に露出状態で取り付けられ前記コネクターの接続によって前記高電圧発生回路に前記電池の電源が供給されるコネクター受けとを有するのが好ましい。
【０００９】
本発明に係るスタンガンを備えた楯において、前記楯本体の裏面と、前記把手の軸心との距離は６〜１２ｃｍとなって、前記楯本体の裏側であって、前記第１、第２の支持部材が取付けられる領域には、幅方向に渡って厚みが６〜１２ｍｍの発泡性のゴム板が貼着されているのが好ましい。
【００１０】
そして、本発明に係るスタンガンを備えた楯において、前記帯状電極は、アルミニウム、アルミ合金、又はその他の導電性の良好な金属によって形成されているのが好ましい。
また、本発明に係るスタンガンを備えた楯において、前記把手の表面には手の形状に沿った握り手模様が形成されているのが好ましい。
【発明の効果】
【００１１】
本発明に係るスタンガンを備えた楯は以下のような効果を有する。
第１、第２の支持部材によって楯本体に取付けられる把手は、一方に蓋付きの開口空間部によって電池が収納されているので、蓋を開けて電池を露出させ、自在に電池を交換できる。
また、把手の中に電池を含む必要な電気回路を組み込んでいるので、この部分だけ用意すれば、楯本体の形状は自由に選択できる。勿論、高電圧発生回路と対となる帯状電極は絶縁導線で接続する。
【００１２】
また、把手の電池と高電圧発生回路とに直列に接続される安全スイッチを有しているので、この安全スイッチをオフにしておくことによって、スタンガンを作動させない状態とすることができ、搬送中などに不用意に高電圧を発生させないことができる。
【００１３】
安全スイッチが、内部端子を短絡した差し込み式のコネクターと、把手に露出状態で取り付けられコネクターの接続によって、高電圧発生回路に電池の電源が供給されるコネクター受けとを有する場合は、コネクターを抜くことによってスタンガンを備えた楯を非動作状態とすることができる。
【００１４】
また、楯本体の裏面と、把手の軸心との距離が６〜１２ｃｍとなって、楯本体の裏側であって、第１、第２の支持部材が取付けられる領域に、幅方向に渡って厚みが６〜１２ｍｍの発泡性のゴム板が貼着されている場合は、帯状電極に高電圧を発生させても、これによって使用者が電撃を受けることがない。
また、把手の表面に手の形状に沿った握り手模様が形成されている場合には、把手を握る手の位置が決まり、プッシュスイッチ等の操作がより容易となる。
【図面の簡単な説明】
【００１５】
【図１】本発明の第１の実施の形態に係るスタンガンを備えた楯の背面図である。
【図２】同スタンガンを備えた楯の正面図である。
【図３】同スタンガンを備えた楯の平面図である。
【図４】同スタンガンを備えた楯に使用する把手の正面図である。
【図５】同スタンガンを備えた楯に使用する把手の側面図である。
【図６】同スタンガンを備えた楯に使用する把手の一部切欠き側面図である。
【図７】同スタンガンを備えた楯の電気回路図である。
【図８】本発明の第２の実施の形態に係るスタンガンを備えた楯の背面図である。
【図９】同スタンガンを備えた楯の正面図である。
【図１０】同スタンガンを備えた楯の平面図である。
【図１１】本発明の第３の実施の形態に係るスタンガンを備えた楯の背面図である。
【図１２】（Ａ）〜（Ｃ）は同スタンガンを備えた楯に使用する補助把手の説明図である。
【発明を実施するための形態】
【００１６】
続いて、添付した図面を参照しながら、本発明を具体化した実施の形態について説明する。
図１〜図６に示すように、本発明の一実施の形態に係るスタンガンを備えた楯１０は、表側には放電用の対となる帯状電極１１、１２を備えた楯本体１３と、楯本体１３の裏側に、両側を第１、第２の支持部材１５、１６を介して取付けられた把手１７とを有している。以下、これらについて詳しく説明する。
【００１７】
把手１７は、絶縁性及び強度を有するプラスチック（例えば、ナイロン、ＡＢＳ等）からなり、全体として筒状となって、周囲には手の指のピッチに合わせた握り部１８となる凹凸が形成されている。なお、この凹凸を形成する凸部１９は４つあって、各凸部１９の中間及びその長さ方向外側に凹部２０が形成され、手の形状に沿った握り手模様を形成している。そして、把手１７には、筒状の把手本体２１と、この把手本体２１の一方側（上側）に形成された雄ねじ２２に螺合する雌ねじ２３を備えた蓋２４とを有している。
【００１８】
図６に示すように、把手本体２１の蓋２４に近い側（即ち、上側）には蓋２４によって閉塞される開口空間部２５が設けられ、この開口空間部２５には、電池２６、２７が取り替え可能に収納されている。この電池２６、２７は、直列（又は並列）に接続されてこのスタンガンを備えた楯１０の高電圧発生回路３０（図７参照）の電源となっている。
【００１９】
第１、第２の支持部材１５、１６は把手１７の握り部１８以外の上下に設けられ、この実施の形態ではステンレス等の比較的強度を有する金属板材を使用している。
把手１７の上端と下端との距離（即ち、長さ）はこの実施の形態では、２０〜２４ｃｍ、蓋２４の外径は５〜６ｃｍとなっている。断面溝形の第１、第２の支持部材１５、１６はそれぞれ対となるビス３２、３３によって把手１７の裏側に形成された平面状となった台座３４、３５に固定されている。
【００２０】
また、この第１、第２の支持部材１５、１６の高さは４．５〜６ｃｍの範囲にある。この支持部材１５、１６の溝部分（即ち、図５において水平部分）にはゴム又はプラスチック製の絶縁カバー１５ａ、１６ａがそれぞれ設けられている。ここで、楯本体１３の裏面と把手１７との軸心の距離は６〜１２ｃｍとなっている。なお、第１、第２の支持部材１５、１６はビス１５ｂ、１６ｂによって楯本体１３に固定されている。
【００２１】
把手１７内には、電池２６、２７に安全スイッチ３７及びプッシュスイッチ３８を介して高電圧発生回路３０が配置され、その出力はリード線３９を介して端子ボックス４０に接続されている。端子ボックス４０は、ビス４０ａによって楯本体１３に固定され、楯本体１３の表面側に設けられている帯状電極１１、１２に接続されている。この帯状電極１１、１２は楯本体１３の表側に約７〜１０ｍｍの隙間を有して配置され、高電圧を加えることによって帯状電極１１、１２の一部で放電をするようになっている。なお、帯状電極１１、１２はそれぞれ幅が２．２〜３ｃｍのアルミ箔によって構成され、接着剤で楯本体１３のプラスチック板部分に貼着されている。
【００２２】
図４、図５に示すように、把手１７の側面には安全スイッチ３７が設けられ、把手１７の楯本体１３に近い側、即ち、図１に示す把手１７を表面とすると、その裏側にプッシュスイッチ３８が設けられている。プッシュスイッチ３８は、握り部１８の上側に設けられ、握り部１８に掛かった人指し指で把手１７から外部に露出するプッシュスイッチ３８の操作部を押すことによって、プッシュスイッチ３８を作動させることができる。
【００２３】
図７に示すように、安全スイッチ３７は、短絡された内部端子４１ａ、４１ｂを備えたコネクター４１と、コネクター４１が差し込まれるコネクター受け４２とを有し、コネクター受け４２が把手１７に取付けられている。コネクター４１には環状バンド４３ａが設けられ、環状バンド４３ａを引っ張ることによって、コネクター受け４２の内部端子４２ａ、４２ａの回路が遮断される。そして、コネクター４１をコネクター受け４２に差し込むことによって、安全スイッチ３７の回路がオン（作動状態）となる。なお、コネクター受け４２は把手１７にその端部が露出状態で設けられている。
【００２４】
楯本体１３は平面視して円弧状となったアクリル樹脂（絶縁性を有する透明合成樹脂の一例、その他、ポリカーボネイト等であってもよい）等からなる楯板４３と、楯板４３の表面側に貼られている前記した帯状電極１１、１２と、把手１７が取り付けられている位置に裏側から貼着された絶縁板として機能する合成樹脂又はゴム製のスポンジ板（発泡性のゴム板の一例）４５とを有している。このスポンジ板４５の厚みは約６〜１２ｍｍあって、把手１７を取り付ける第１、第２の支持部材１５、１６に一部ラップしてその間に設けられている。
【００２５】
図１に示すように把手１７は、楯本体１３の裏側から見て右側に設けられ、同一高さ位置の左側には雄、雌の面状ファスナー４７、４８を対向して有する把持バンド４９が固定されている。これによって、このスタンガンを備えた楯１０を使用する人の左腕にこの把持バンド４９を巻いて雄、雌の面状ファスナー４７、４８を係合させ、このスタンガンを備えた楯１０を腕で保持することができる。
【００２６】
把手１７内に設けられている高電圧発生回路３０は、図７に示すように、電池２６、２７を電源とし、例えば、５０〜１００万ボルトの高電圧を発生させ、帯状電極１１、１２に通電させるようになってる。この場合、電池２６、２７と高電圧発生回路３０との間にはプッシュスイッチ３８と安全スイッチ３７が直列に入り、これらが同時に動作した場合に高電圧を発生するようになっている。なお、高電圧発生回路３０は周知の構造となっている。
【００２７】
このスタンガンを備えた楯１０を使用する場合、把持バンド４９を左腕に装着し、右手で把手１７を持つ。安全スイッチ３７の差し込み式のコネクター４１をコネクター受け４２に装着し、プッシュスイッチ３８を押すと、帯状電極１１、１２に高電圧が印加される。この場合、帯状電極１１、１２に印加される電圧は極めて高い電圧があるが、電流が極めて小さいので、感電死することはない。
【００２８】
続いて、図８〜図１０に示す本発明の第２の実施の形態に係るスタンガンを備えた楯５２について説明する。スタンガンを備えた楯５２は、第１の実施の形態に係るスタンガンを備えた楯１０に使用した把手１７を使用しているが、楯本体５３の形状は楯本体１３より小さくなっている（例えば、横４０ｃｍ、縦３０ｃｍ、厚みは５ｍｍ）。透明プラスチック製の楯板５４に帯状電極５５、５６を逆Ｕ字状に貼っている。帯状電極５５、５６の材質、幅は第１の実施の形態に係るスタンガンを備えた楯１０と同一である。なお、このスタンガンを備えた楯５２において、第１の実施の形態に係るスタンガンを備えた楯１０と同一の構成要素は同一の番号を使用した。
【００２９】
このスタンガンを備えた楯５２においては、把手１７は第１、第２の支持部材１５、１６を介して楯本体５３に斜めに傾斜して設けられ、楯本体５３の裏側で、把手１７に対応する領域には厚さ１０ｍｍのスポンジ板５８が設けられている。このスタンガンを備えた楯５２には把持バンド４９は設けられていない。
なお、把手１７に設けられている安全スイッチ３７の環状バンド４３ａは把手１７に対して斜めに垂下することになる。
【００３０】
このスタンガンを備えた楯５２の使用方法は、第１の実施の形態に係るスタンガンを備えた楯１０と同一であるが、把持バンド４９は設けられていないので、把手１７を持って操作することになる。
【００３１】
図１１を参照しながら、本発明の第３の実施の形態に係るスタンガンを備えた楯６０について説明するが、第１の実施の形態に係るスタンガンを備えた楯１０と相違する点は、把持バンド４９の代わりに樹脂製（例えば、ナイロン）の補助把手６１を設けた点である。この補助把手６１は、図１２（Ａ）〜（Ｃ）に示すように上下に取付け部６２、６３を有し、ねじによって楯本体１３の裏側に固定されている。そして、取付け部６２、６３の間に握り部６４が形成されている。なお、この補助把手６１はスポンジ板４５の上下両側にねじ固定されている。
【００３２】
本発明は前記した実施の形態に限定されるものではなく、本発明の要旨を変更しない範囲でその構成を変更することもできる。例えば、各部の寸法及び形状は本発明の要旨を変更しない範囲で変えることができる。
また、前記実施の形態においては、楯板には透明の合成樹脂を用いたが、不透明であっても本発明は適用される。
【符号の説明】
【００３３】
１０：スタンガンを備えた楯、１１、１２：帯状電極、１３：楯本体、１５：第１の支持部材、１５ａ：絶縁カバー、１５ｂ：ビス、１６：第２の支持部材、１６ａ：絶縁カバー、１６ｂ：ビス、１７：把手、１８：握り部、１９：凸部、２０：凹部、２１：把手本体、２２：雄ねじ、２３：雌ねじ、２４：蓋、２５：開口空間部、２６、２７：電池、３０：高電圧発生回路、３２、３３：ビス、３４、３５：台座、３７：安全スイッチ、３８：プッシュスイッチ、３９：リード線、４０：端子ボックス、４０ａ：ビス、４１：コネクター、４１ａ、４１ｂ：内部端子、４２：コネクター受け、４２ａ、４２ｂ：内部端子、４３：楯板、４３ａ：環状バンド、４５：スポンジ板、４７、４８：面状ファスナー、４９：把持バンド、５２：スタンガンを備えた楯、５３：楯本体、５４：楯板、５５、５６：帯状電極、５８：スポンジ板、６０：スタンガンを備えた楯、６１：補助把手、６２、６３：取付け部、６４：握り部
【図１】
0005851219.tif 000002
【図２】
0005851219.tif 000003
【図３】
0005851219.tif 000004
【図４】
0005851219.tif 000005
【図５】
0005851219.tif 000006
【図６】
0005851219.tif 000007
【図７】
0005851219.tif 000008
【図８】
0005851219.tif 000009
【図９】
0005851219.tif 000010
【図１０】
0005851219.tif 000011
【図１１】
0005851219.tif 000012
【図１２】
0005851219.tif 000013